【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ウェアラブルディスプレイシステムであって、
ディスプレイと、
ユーザの眼の画像を捕捉するように構成される画像捕捉デバイスと、
実行可能命令を記憶するように構成される非一過性メモリと、
前記ディスプレイ、前記画像捕捉デバイス、および前記非一過性メモリと通信するハードウェアプロセッサであって、前記ハードウェアプロセッサは、前記実行可能命令によって、
カメラ較正を取得することと、
前記眼の３次元座標フレーム内において前記眼の生理学的パラメータを取得することであって、前記生理学的パラメータは、
前記眼の角膜を構成する角膜球面の半径と、
前記眼の虹彩の半径と、
前記眼の角膜球面の中心と瞳孔の中心との間の距離と
を含む、ことと、
前記眼の画像を受信することであって、前記画像は、前記眼の角膜および前記眼の虹彩の少なくとも一部を含む、ことと、
透視変換を介して前記眼の画像を前記眼の座標フレームに変換し、変換された画像を生成することと、
前記変換された画像から、前記角膜球面と前記眼との間の交差部を決定することと、
前記カメラ較正に少なくとも部分的に基づいて、前記交差部を前記眼の座標フレームから前記眼の画像の座標フレームに変換することと、
前記交差部に少なくとも部分的に基づいて、角膜輪部境界を決定することと、
前記角膜輪部境界をバイオメトリック用途において利用することと
を行うようにプログラムされる、ハードウェアプロセッサと
を備える、ウェアラブルディスプレイシステム。
【請求項２】
前記カメラ較正は、カメラ座標フレームと前記眼の座標フレームとの間の関係を含む、請求項１に記載のウェアラブルディスプレイシステム。
【請求項３】
前記カメラ較正は、較正行列を含み、前記較正行列は、固有のカメラパラメータを含む、請求項１に記載のウェアラブルディスプレイシステム。
【請求項４】
前記生理学的パラメータは、ヒト対象の母集団から推定される、請求項１に記載のウェアラブルディスプレイシステム。
【請求項５】
前記眼の生理学的パラメータを取得するために、前記ハードウェアプロセッサは、前記実行可能命令によって、前記生理学的パラメータを前記眼の画像から決定するようにプログラムされる、請求項１に記載のウェアラブルディスプレイシステム。
【請求項６】
前記ハードウェアプロセッサは、前記実行可能命令によって、周期的に、前記眼の生理学的パラメータを再決定するようにさらにプログラムされる、請求項５に記載のウェアラブルディスプレイシステム。
【請求項７】
前記角膜球面と前記眼との間の交差部を決定するために、前記ハードウェアプロセッサは、前記実行可能命令によって、前記眼の３次元座標フレーム内の角膜球面の３次元性質を推定するようにプログラムされる、請求項１に記載のウェアラブルディスプレイシステム。
【請求項８】
前記角膜球面の３次元性質を推定するために、前記ハードウェアプロセッサは、前記実行可能命令によって、前記瞳孔の中心および前記角膜球面の中心を推定するようにプログラムされる、請求項７に記載のウェアラブルディスプレイシステム。
【請求項９】
前記角膜球面と前記眼との間の交差部を決定するために、前記ハードウェアプロセッサは、前記実行可能命令によって、前記角膜球面と前記眼の複数の交差点を決定するようにプログラムされる、請求項１−８のいずれか１項に記載のウェアラブルディスプレイシステム。
【請求項１０】
前記交差部を前記眼の座標フレームから前記眼の画像の座標フレームに変換するために、前記ハードウェアプロセッサは、前記実行可能命令によって、前記複数の交差点を前記眼の画像の座標フレームの中に投影するようにプログラムされる、請求項９に記載のウェアラブルディスプレイシステム。
【請求項１１】
ウェアラブルディスプレイシステムであって、
ディスプレイと、
ユーザの眼の画像を捕捉するように構成される画像捕捉デバイスと、
実行可能命令を記憶するように構成される非一過性メモリと、
前記ディスプレイ、前記画像捕捉デバイス、および前記非一過性メモリと通信するハードウェアプロセッサであって、前記ハードウェアプロセッサは、前記実行可能命令によって、
前記眼の３次元座標フレーム内において前記眼の生理学的パラメータを取得することであって、前記生理学的パラメータは、
前記眼の角膜を構成する角膜球面の半径と、
前記眼の虹彩の半径と、
前記眼の角膜球面の中心と瞳孔の中心との間の距離と
を含む、ことと、
前記眼の画像を受信することであって、前記画像は、前記眼の角膜および前記眼の虹彩の少なくとも一部を含む、ことと、
透視変換を介して前記眼の画像を前記眼の座標フレームに変換し、変換された画像を生成することと、
前記変換された画像から、前記角膜球面と前記眼との間の交差部を決定することと、
前記交差部に少なくとも部分的に基づいて、角膜輪部境界を決定することと
を行うようにプログラムされる、ハードウェアプロセッサと
を備える、ウェアラブルディスプレイシステム。
【請求項１２】
前記眼の生理学的パラメータを取得するために、前記ハードウェアプロセッサは、前記実行可能命令によって、前記生理学的パラメータを特定の個人の眼画像から決定するようにプログラムされる、請求項１１に記載のウェアラブルディスプレイシステム。
【請求項１３】
前記眼の画像は、前記画像捕捉デバイスから受信される、請求項１１に記載のウェアラブルディスプレイシステム。
【請求項１４】
前記角膜輪部境界を決定するために、前記ハードウェアプロセッサは、前記実行可能命令によって、前記角膜球面と前記眼の複数の交差点を決定するようにプログラムされる、請求項１１〜１３のいずれか１項に記載のウェアラブルディスプレイシステム。
【請求項１５】
前記ハードウェアプロセッサは、前記実行可能命令によって、前記角膜輪部境界に少なくとも部分的に基づいて、バイオメトリック用途を実施するようにさらにプログラムされ、前記バイオメトリック用途は、虹彩識別を含む、請求項１１に記載のウェアラブルディスプレイシステム。
【手続補正２】
【補正対象書類名】明細書
【補正対象項目名】０００６
【補正方法】変更
【補正の内容】
【０００６】
本明細書に説明される主題の１つ以上の実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本発明は、例えば、以下を提供する。
（項目１）
ウェアラブルディスプレイシステムであって、
ディスプレイと、
ユーザの眼の画像を捕捉するように構成される画像捕捉デバイスと、
実行可能命令を記憶するように構成される非一過性メモリと、
前記ディスプレイ、前記画像捕捉デバイス、および前記非一過性メモリと通信するハードウェアプロセッサであって、前記ハードウェアプロセッサは、前記実行可能命令によって、
カメラ較正を取得することと、
前記眼の３次元座標フレーム内において前記眼の生理学的パラメータを取得することであって、前記生理学的パラメータは、
前記眼の角膜を構成する角膜球面の半径と、
前記眼の虹彩の半径と、
前記眼の角膜球面の中心と瞳孔の中心との間の距離と
を含む、ことと、
前記眼の画像を受信することであって、前記画像は、前記眼の角膜および前記眼の虹彩の少なくとも一部を含む、ことと、
前記角膜球面と前記眼との間の交差部を決定することと、
少なくとも部分的に、前記カメラ較正に基づいて、前記交差部を前記眼の座標フレームから前記眼の画像の座標フレームに変換することと、
少なくとも部分的に、前記交差部に基づいて、角膜輪部境界を決定することと、
前記角膜輪部境界をバイオメトリック用途において利用することと
を行うようにプログラムされる、ハードウェアプロセッサと
を備える、ウェアラブルディスプレイシステム。
（項目２）
前記カメラ較正は、カメラ座標フレームと前記眼の座標フレームとの間の関係を含む、項目１に記載のウェアラブルディスプレイシステム。
（項目３）
前記カメラ較正は、較正行列を含み、前記較正行列は、固有のカメラパラメータを含む、項目１に記載のウェアラブルディスプレイシステム。
（項目４）
前記生理学的パラメータは、ヒト対象の母集団から推定される、項目１に記載のウェアラブルディスプレイシステム。
（項目５）
前記眼の生理学的パラメータを取得するために、前記ハードウェアプロセッサは、前記実行可能命令によって、前記生理学的パラメータを前記眼の画像から決定するようにプログラムされる、項目１に記載のウェアラブルディスプレイシステム。
（項目６）
前記ハードウェアプロセッサはさらに、前記実行可能命令によって、周期的に、前記眼の生理学的パラメータを再決定するようにプログラムされる、項目５に記載のウェアラブルディスプレイシステム。
（項目７）
前記角膜球面と前記眼との間の交差部を決定するために、前記ハードウェアプロセッサは、前記実行可能命令によって、前記眼の３次元座標フレーム内の角膜球面の３次元性質を推定するようにプログラムされる、項目１に記載のウェアラブルディスプレイシステム。
（項目８）
前記角膜球面の３次元性質を推定するために、前記ハードウェアプロセッサは、前記実行可能命令によって、前記瞳孔の中心および前記角膜球面の中心を推定するようにプログラムされる、項目７に記載のウェアラブルディスプレイシステム。
（項目９）
前記角膜球面と前記眼との間の交差部を決定するために、前記ハードウェアプロセッサは、前記実行可能命令によって、前記角膜球面と前記眼の複数の交差点を決定するようにプログラムされる、項目１−８のいずれか１項に記載のウェアラブルディスプレイシステム。
（項目１０）
前記角膜球面と前記眼との間の交差部を決定するために、前記ハードウェアプロセッサはさらに、前記実行可能命令によって、曲線を前記複数の交差点に適合させるようにプログラムされる、項目９に記載のウェアラブルディスプレイシステム。
（項目１１）
前記曲線は、楕円形を含む、項目１０に記載のウェアラブルディスプレイシステム。
（項目１２）
前記複数の交差点は、前記眼の座標フレーム内において決定される、項目９に記載のウェアラブルディスプレイシステム。
（項目１３）
前記ハードウェアプロセッサはさらに、前記実行可能命令によって、前記複数の交差点を前記眼の画像の座標フレームの中に投影するようにプログラムされる、項目１２に記載のウェアラブルディスプレイシステム。
（項目１４）
ウェアラブルディスプレイシステムであって、
ディスプレイと、
ユーザの眼の画像を捕捉するように構成される画像捕捉デバイスと、
実行可能命令を記憶するように構成される非一過性メモリと、
前記ディスプレイ、前記画像捕捉デバイス、および前記非一過性メモリと通信する、ハードウェアプロセッサであって、前記ハードウェアプロセッサは、前記実行可能命令によって、
前記眼の３次元座標フレーム内において前記眼の生理学的パラメータを取得することであって、前記生理学的パラメータは、
前記眼の角膜を構成する角膜球面の半径と、
前記眼の虹彩の半径と、
前記眼の角膜球面の中心と瞳孔の中心との間の距離と
を含む、ことと、
前記眼の画像を受信することであって、前記画像は、前記眼の角膜および前記眼の虹彩の少なくとも一部を含む、ことと、
前記角膜球面と前記眼との間の交差部を決定することと、
少なくとも部分的に、前記交差部に基づいて、角膜輪部境界を決定することと
を行うようにプログラムされる、ハードウェアプロセッサと
を備える、ウェアラブルディスプレイシステム。
（項目１５）
前記眼の生理学的パラメータを取得するために、前記ハードウェアプロセッサは、前記実行可能命令によって、前記生理学的パラメータを特定の個人の眼画像から決定するようにプログラムされる、項目１４に記載のウェアラブルディスプレイシステム。
（項目１６）
前記眼の画像は、前記画像捕捉デバイスから受信される、項目１４に記載のウェアラブルディスプレイシステム。
（項目１７）
前記角膜球面と前記眼との間の交差部を決定するために、前記ハードウェアプロセッサは、前記実行可能命令によって、前記眼の３次元座標フレーム内において前記角膜球面と前記眼との間の交差部を決定するようにプログラムされる、項目１４に記載のウェアラブルディスプレイシステム。
（項目１８）
前記角膜球面と前記眼との間の交差部を決定するために、前記ハードウェアプロセッサは、前記実行可能命令によって、前記画像の座標フレーム内において前記角膜球面と前記眼との間の交差部を決定するようにプログラムされる、項目１４に記載のウェアラブルディスプレイシステム。
（項目１９）
前記角膜輪部境界を決定するために、前記ハードウェアプロセッサは、前記実行可能命令によって、曲線を前記交差部に適合させるようにプログラムされる、項目１４−１８のいずれか１項に記載のウェアラブルディスプレイシステム。
（項目２０）
前記ハードウェアプロセッサはさらに、前記実行可能命令によって、少なくとも部分的に、前記角膜輪部境界に基づいて、バイオメトリック用途を実施するようにプログラムされ、前記バイオメトリック用途は、虹彩識別を含む、項目１４に記載のウェアラブルディスプレイシステム。